(57)【特許請求の範囲】
【請求項１】
接合領域にて円形横断面を備える、接合し相互に回転し得る２つの部材（１、２）を、引っ張ると容易に外れてしまうのを食い止める薬剤コンテナ又は吸入器における装置において、
第２の部材（２）との接合を意図され、上記装置の端部の方を向いている第１の部材（１）が、周囲に円状に刻まれる溝（１０）を備えられ、
第１の部材（１）との接合を意図され、上記装置の端部の方を向いている第２の部材（２）が、上記溝（１０）と噛合う突起部（９）を少なくとも１つ備えられ、
第１の部材が、上記溝（１０）から第１の部材の端部への堅固な軸方向の切り欠き（１１）を少なくとも１つ備えられ、
各々の切り欠き（１１）の近傍の溝（１０）が、切り欠きが開けられる溝の側部にて第１の凹部（１４）が少なくとも２つ備えられ、
少なくとも各々の切り欠き（１１）のいずれの側部にも第１の凹部（１４）が備わり、
上記の各々の切り欠き（１１）のいずれの側部にも備わる第１の凹部（１４）は、相互に引っ張る力が第１の部材（１）と第２の部材（２）とに作用しても突起部（９）が切り欠きに到達しないように、切り欠き直近に鋭利な側部を備え、
切り欠きから離れた位置に傾斜をなす側部を備える
ことを特徴とする薬剤コンテナ又は吸入器における装置。
【請求項２】
１つ以上の突起部と切り欠きとが備わる場合、突起部と切り欠きとが同じピッチで配置されていないことを特徴とする請求項１の装置。
【請求項３】
第１の部材がマウスピース（１）であり、第２の部材がそのマウスピースのキャップ（２）であり、溝（１０）はマウスピース（１）上の内側スリーブ（８）の外部面に形成され、突起部（９）はキャップ（２）の外側スリーブ（７）の内部面上に形成される、吸入器のための請求項２の装置。
【請求項４】
切り欠き（１１）の深さが、突起部（９）に相当の抵抗をはたらかせるように、部分的に減少することを特徴とする請求項３の装置。
【請求項５】
マウスピース（１）とキャップ（２）との表面に、突起部（９）が切り欠き（１１）の位置にあるときそのことを示すための、外部マーク（１２、１３）が存することを特徴とする請求項３又は請求項４の装置。
【請求項６】
溝（１０）が、マウスピース（１）の周縁全周に渡って伸びており、更に、第１の凹部（１４）の実際上の反対側にて鋭利な側部を伴う第２の凹部（１５）を備えることを特徴とする請求項３乃至請求項５のうちのいずれか一つの装置。
【請求項７】
突起部（９）が頂面図では概略矩形であるが、マウスピース（１）とキャップ（２）を組み合わせる際に切り欠き（１１）内への進入を容易にするための尖った側部を備えることを特徴とする請求項３乃至請求項６のうちのいずれか一つの装置。
【発明の詳細な説明】
【０００１】
（技術分野）
本発明は、少なくとも接合領域では円形の横断面である、接合し相互回転する２つの部材が、引っ張ると容易に外れてしまうのを食い止めるような薬剤コンテナ装置又は吸入器に関する。
【０００２】
（発明の背景）
丸剤の容器又は瓶、若しくは（本件において特に関連する）吸入器の内容物を、子供が容易には触れないようにすることは、非常に重要なことである。そのような容器又は吸入器の内容物は子供には危険なことがあるからである。例えば吸入器はアンプルを含むニコチンを保持していることがある。その吸入器は、喫煙の習慣を止めようとしている人にニコチンを投与するために利用される。ニコチンは子供には非常に有害である。
【０００３】
吸入器の相互回転する２つの部材が（アンプルが内部に挿入されて）接合され又は組み合わされたならば、子供がその２つの部材を引っ張ることによって離合させたり分離させたりすることが、困難である若しくは事実上不可能である、というのが望ましい。しかしそれと同時に、大人がその２つの部材を分離させたり組み合わせたりすることが、煩わし過ぎるものであってはならない。
【０００４】
上記目的を達成する装置も知られており、その１つの例がＮＯ−Ｂ−１５８，２１４に開示されており、そこでは差し込みタイプの接合が用いられている。
【０００５】
本発明の目的は、上記目標のための設計を得ることである。その設計は、大人にとっては扱いやすいものであるが子供にとっては実際上取り扱い不可能であり、同時に例えばプラスチック材料でできていて頑強で製造費用がかからないものである。
【０００６】
（発明）
第２の部材との接合を意図され、上記装置の端部の方を向いている第１の部材が、周囲に円状に刻まれる溝を備えられ、
第１の部材との接合を意図され、上記装置の端部の方を向いている第２の部材が、上記溝と噛合う突起部を少なくとも１つ備えられ、
第１の部材が、上記溝から第１の部材の端部への軸方向の切り欠きを少なくとも１つ備えられ、
各々の切り欠きの近傍の溝が、切り欠きが始まる溝の側部にて第１の凹部が少なくとも１つ備えられて、
得られる一般的なケースに対する本発明により、これらの及び他の目的は達せられる。
【０００７】
通常は、１つの突起部と１つの切り欠きのみが設定されるが、２つの回転可能部材に関する幾つかの相互位置関係のうちの１つのみが２つの回転部材を引き離すのに正しい位置であるように、異なるピッチを備える幾つかの突起部と切り欠きが設定されると、より安全性が向上し得る。
【０００８】
（１つの突起部と１つの切り欠きを備える）この設計により、上記２つの部材は、突起部を切り欠きに合わせて押し込むことにより容易に組み立てられ又は接合し得る。すると突起部を溝にはめ込んだ状態で両者は相互に回転する。それに続いて、互いに回転させた状態で両部材を引き離して非接合即ち分離させようとしても、うまくいくものではない。というのは、突起部が第１の凹部に捕捉されるからである。
【０００９】
上述のように、本発明は特に吸入器に関するものである。従って、第１の部材は吸入器のマウスピースであってよいし、第２の部材はキャップであってよい。溝はマウスピースの内部スリーブの外部表面内に形成されればよく、突起部はキャップの外部スリーブの内部表面上に形成されればよい。
【００１０】
切り欠きの側部から回転させるときの、突起部に対する“トラップ”を設けるため、切り欠きのいずれの側部にも第１の凹部があるのが望ましい。相互に引っ張る力がマウスピースとキャップとに作用しても突起部が切り欠きに到達しないように、各々の第１の凹部が、切り欠き直近に鋭利な側部を備えることにより、“トラップ”の効果は強化される。“トラップ”内に突起部が滑らかにはまり込むのを助長するため、第１の凹部のもう一方の端部が傾斜をなすのが好ましい。
【００１１】
引き離すのが可能になるように、突起部が溝から切り欠きに入り込む位置にある場合であっても、切り欠きの深さが部分的に減少する、望ましくは開口端に向かって減少することにより、相当の抵抗がはたらき得る。この抵抗は子供が実際に両部材を引き離すのを留め得る。
【００１２】
大人による制御された引き離し作用を助力するために、マウスピースとキャップとの表面に、突起部が切り欠きの位置にあるときそのことを示すための、外部マークが存してもよい。そのようなマークは子供に何ら指標となるものではないことが、既に示されている。
【００１３】
２つの部材が自由に回転するように、溝がマウスピースの周縁全周に渡って伸びるのが好ましい。このような場合は、鋭利な側部を伴うのが好ましい第２の凹部は、突起部に対する第２の“トラップ”となるために、第１の凹部の実際上の反対側に設置されてもよい。
【００１４】
突起部が頂面図では概略矩形であるのが好ましいが、マウスピースとキャップを組み合わせる際に切り欠き内への進入を容易にするため尖った側部を備えてもよい。
【００１５】
（好適な実施形態の詳細な説明）
本発明の実施形態である吸入器は、第１の部材、即ちマウスピース１と、第２の部材、即ちキャップ２とを含む。その２つの部材の間の分離線は、図１の太線にて示されている。吸入される内容物は、吸入器の中空部にてアンプル（図示せず。）等の形態で、設置される。ユーザの口内に快適にはめ込むための図１左側のマウスピース１の平坦端部は例外であるが、マウスピース１とキャップ２の両者は、特に両者が互いに接合する領域で、円形横断面を備え、従って互いに回転し得るようになっている。
【００１６】
マウスピース１とキャップ２は、組み合わされるとチューブを共に形成する。従って、キャップ２は図１乃至図４の右側に向かって中心軸の円形開口部３を備えており、該開口部３を介して周囲の空気が吸い込まれる。一方、マウスピース１は図１乃至図３の左側に向かって平坦な即ち実際上は矩形の開口部４を備えており、該開口部４を介して、吸入器にはめ込まれたアンプルからの内容物を含み得る空気が、ユーザの口に運ばれる。
【００１７】
内部に目を向けると、マウスピース１とキャップ２には、それぞれ統合チューブ５、６が設けられており、該チューブ５、６は、上記の、但し図示されていないアンプルが吸入器の内部に設置されるとそのアンプル端部のシール部を貫通する、鋭利端部５’、６’を、それぞれ備える。
【００１８】
組み合わされると、マウスピース１とキャップ２は、接合領域にて概ね滑らかな外部面を共に形成する。さらに、両者の内部の面も、接合領域において概ね滑らかである。接合領域においてキャップ２は、図４及び図５の左側に向かって、キャップ２の他の部分よりも薄い壁を備える統合外側スリーブ７を有する。このため上述のことが達成される。同様に、接合領域においてマウスピース１は、図７及び図８の左側に向かって、マウスピース１の他の部分よりも薄い壁を備える内側スリーブ８を有する。２つのスリーブ７、８は、概略同じ長さであり、図１乃至図３に示される接合部を形成するため共にはまり込む。しかしながら、２つの部材１、２の組み合わせ及び分離は、子供に対し相当の力で抵抗するという目的のため、１つの相対的な位置においてしか、行なわれ得ない。本発明は、第一義的には、この子供に対する抵抗力を得る手段に関するものである。これら手段は次のように示される。
【００１９】
所望の接合を得るための主要な手段は、キャップ２の外側スリーブ７内の突起部９と、マウスピース１の内側スリーブ８の円周溝１０とである。後で説明することを除いては、溝１０の幅と深さとは、突起部９に関する軸方向の大きさと高さとよりも、夫々僅かに大きい。そうであるから２つの部材１、２は、突起部９を溝１０の中にはめ込んで、互いに回転し得る。溝１０はスリーブ８の周囲全周に伸びるのが望ましいが、より短い長さだけ伸びる溝を備えることも可能である。
【００２０】
溝１０からの出口、即ちマウスピース１の内側スリーブの軸方向の切り欠き１１が、１つだけ存在する。この切り欠き１１の幅は、突起部９の円周方向幅を上回るものである。溝１０へ通ずる切り欠き１１の端部は、溝と同じ深さを備えていてもよいが、切り欠きの深さは、図７の左側に向かう切り欠き１１の端部に向かって減少していてもよい。このことは図９に明確に示されている。図９は切り欠き１１の拡大断面であり、切り欠きの底部形状を示す。切り欠き１１のより浅くなる出口により、切り欠き１１内にて、突起部９の移動に抗する相当の抵抗がもたらされる。換言すると、突起部９を切り欠き１１の前にもってくる回転上の位置を見出したとしても、マウスピース１とキャップ２とを引っ張って離すには相当の力が必要である。
【００２１】
マウスピース１とキャップ２の各々が、外部マーク１２（図７）と１３（図５）を夫々有することにより、この点に関する補助をなしている。それらマークは、突起部９を切り欠け１１位置に配置する際には、互いに面して置かれるべきものである。このしるしは小さい子供には適切には理解されないことが、既に示されている。
【００２２】
切り欠き１１の側部のそれぞれにおいて、溝１０の（図７左側に向かって）前方の縁に第１の凹部１４がある。各々の凹部１４は、切り欠き１１から離れた位置に傾斜をなす側部と、切り欠き直近に鋭利な側部とを備える。その結果次のようになる。接合したマウスピース１とキャップ２とが互いに回転され更に一方で離れるよう引っ張られても、突起部９は傾斜をなす側部に沿って凹部１４に入り込み鋭利な側部に当って止まってしまう。すると突起部は切り欠き１１への経路が見出せなくなる。
【００２３】
切り欠き１１の略反対側のマウスピース１の側部において、溝１０に第２の凹部１５を備えてもよい。その第２の凹部は、２つの部材のマウスピース１とキャップ２とを互いから分離させようとして、回転させ引っ張っても、２つの部材をさらにロックしてしまうものである。
【００２４】
切り欠き１１の反対側の溝１０の側部と凹部１４、１５とは、滑らかにされてある。これは、マウスピース１とキャップ２とを互いに回転させるが引っ張らないときには、突起部９はこの側部に対して自由にスライドし得ることを、意味する。
【００２５】
図４と図５とから明らかなように、突起部９は、組み立て時に切り欠け１１の中への差し込みが容易になるように、面取りされた縁と、僅かに尖った端部とを、備えてもよい。
【００２６】
本発明の重要な特徴は、第１の凹部１４により構成される“トラップ”の設定であり、開示した凹部とは異なる幾つかの実際上の代替手段が、請求項の範囲内で実現可能であることを、指摘しておかなければならない。
【図面の簡単な説明】
【図１】  本発明の実施形態である吸入器の側面図である。
【図２】  図１のラインII−IIに沿った吸入器の断面である。
【図３】  図２のラインIII−IIIに沿った吸入器の断面である。
【図４】  図１に係る吸入器のキャップの拡大断面である。
【図５】  図４のラインＶ−Ｖに沿ったキャップの断面である。
【図６】  図１に係る吸入器のマウスピースの斜視図である。
【図７】  図６に係るマウスピースの（図１乃至図３と同じスケールの）頂面図である。
【図８】  図６に係るマウスピースの底面図である。
【図９】  図７に係るマウスピースの細部の拡大断面である。
【図１】
0004038592.tif 000002
【図２】
0004038592.tif 000003
【図３】
0004038592.tif 000004
【図４】
0004038592.tif 000005
【図５】
0004038592.tif 000006
【図６】
0004038592.tif 000007
【図７】
0004038592.tif 000008
【図８】
0004038592.tif 000009
【図９】
0004038592.tif 000010